(57)【要約】【課題】穂木の下端部から根が発生して台木内で下向きに伸びるのを防止することができ、かつ穂木と台木とを、これらが互いにずれるのを防止して略同軸状に容易かつ正確に接合することを可能にする手段を提供する。【解決手段】接木苗１は穂木２と台木３とが略同軸状に接合されてなる。穂木２の下端近傍部には凸部４が形成されている。他方、台木３の上端近傍部には凹部５が形成されている。ここで、凸部４と凹部５とは相補的な形状に形成され、凸部４が凹部５に挿入ないしは嵌入された状態で、穂木２と台木３とが接合されている。凸部４は、Ｖ字形周面６と、第１のＶ字形外面と、第２のＶ字形外面とで画成されている。凹部５は、第１のＶ字形内面と、第２のＶ字形内面とで画成されている。【選択図】図３
2016021917.tif 000002
【特許請求の範囲】
【請求項１】
穂木と台木とが略同軸状に接合されてなる接木苗であって、
前記穂木の下端近傍部に凸部が形成されていて、前記凸部は、穂木茎部の周面の一部をなし下方に向かって狭まるＶ字形周面と、前記穂木茎部を平面で切断することにより形成され前記Ｖ字形周面の一方の側辺に隣接し下方に向かって狭まる第１のＶ字形外面と、前記穂木茎部を平面で切断することにより形成され前記Ｖ字形周面の他方の側辺に隣接し下方に向かって狭まる第２のＶ字形外面とで画成され、前記第１のＶ字形外面と前記第２のＶ字形外面とは直線状の稜線を形成するように交差し、
前記台木の上端近傍部に凹部が形成されていて、前記凹部は、台木茎部を平面で切断することにより形成され下方に向かって狭まる第１のＶ字形内面と、前記台木茎部を平面で切断することにより形成され下方に向かって狭まる第２のＶ字形内面とで画成される一方、前記台木茎部の側方に開かれたＶ字形の側面開口部と前記台木茎部の上方に開かれたＶ字形の上面開口部とを有し、前記第１のＶ字形内面と前記第２のＶ字形内面とは直線状の谷底線を形成するように交差し、
前記凸部と前記凹部とが相補的な形状に形成され、前記凸部が前記凹部に挿入された状態で、前記穂木と前記台木とが接合されていることを特徴とする接木苗。
【請求項２】
前記Ｖ字形周面の下端部と前記第１のＶ字形外面の下端部と前記第２のＶ字形外面の下端部とが、前記穂木茎部の周面に対応する位置で収斂し、
前記第１のＶ字形内面の下端部と前記第２のＶ字形内面の下端部とが、前記台木茎部の周面に対応する位置で収斂していることを特徴とする、請求項１に記載の接木苗。
【請求項３】
穂木と台木とが略同軸状に接合されてなる接木苗の生産方法であって、
穂木の下端近傍部に凸部を作成する凸部作成工程と、
台木の上端近傍部に凹部を作成する凹部作成工程と、
前記凸部を前記凹部に挿入した上で、前記穂木と前記台木とを接合する接合工程とを有していて、
前記凸部作成工程では、穂木茎部の周面の一部をなし下方に向かって狭まるＶ字形周面が形成されるような態様で前記穂木茎部の２箇所を平面で切断して、下方に向かって狭まる第１のＶ字形外面と下方に向かって狭まる第２のＶ字形外面とを、前記第１のＶ字形外面と前記第２のＶ字形外面との間に直線状の稜線が生じるように形成し、
前記凹部作成工程では、台木茎部の側方に開かれたＶ字形の側面開口部と前記台木茎部の上方に開かれたＶ字形の上面開口部とが形成されるような態様で前記台木茎部の２箇所を平面で切断して下方に向かって狭まる第１のＶ字形内面と下方に向かって狭まる第２のＶ字形内面とを、前記第１のＶ字形内面と前記第２のＶ字形内面との間に直線状の谷底線が生じるように形成することを特徴とする接木苗の生産方法。
【請求項４】
前記凸部作成工程では、前記Ｖ字形周面の下端部と前記第１のＶ字形外面の下端部と前記第２のＶ字形外面の下端部とが前記穂木茎部の周面に対応する位置で収斂するように前記穂木茎部を切断し、
前記凹部作成工程では、前記第１のＶ字形内面の下端部と前記第２のＶ字形内面の下端部とが、前記台木茎部の周面に対応する位置で収斂するように前記台木茎部を切断することを特徴とする、請求項３に記載の接木苗の生産方法。
【発明の詳細な説明】
【技術分野】
【０００１】
本発明は、穂木と台木とが略同軸状に接合されてなる接木苗と、このような接木苗の生産方法とに関するものである。
【背景技術】
【０００２】
近年、果物、野菜等の植物の栽培においては、穂木と台木とを略同軸状に接木した接木苗が広く用いられている。このような接木苗を生産する場合、穂木の茎部と台木の茎部とを、略同軸状に当接させた上でこれらを接合することが必要である。そして、一般に、穂木の下端近傍部と台木の上端近傍部とを同一の傾斜角で斜めにカットした上で、穂木と台木とを傾斜面同士で当接させて接合するようにしている。しかしながら、この場合、穂木と台木とが互いに斜め横方向にずれやすいので、台木と穂木とを高精度で同軸状に接合するのがかなり難しいといった問題がある。
【０００３】
そこで、穂木の下端近傍部に円錐状又は角錐状の凸部を作成する一方、台木の上端近傍部に穂木の凸部に対応する円錐状又は角錐状の凹部を作成し、穂木の凸部を台木の凹部に挿入することにより、穂木と台木とが互いに横方向ないしは径方向にずれないようにし、穂木と台木とを高精度で略同軸状に接合するといった接木方法が提案されている。（例えば、特許文献１〜３参照）。なお、穂木及び台木の中心部に軸方向に伸びるピンを差し込んで穂木と台木とが互いに横方向ないしは径方向にずれるのを防止するようにした接木方法も提案されている（例えば、特許文献４参照）。
【先行技術文献】
【特許文献】
【０００４】
【特許文献１】特開平０５−０６８４３２号公報
【特許文献２】特開平０６−３３９３２７号公報
【特許文献３】特開２００３−０７９２４４号公報
【特許文献４】特開２０１１−０９７９５９号公報
【発明の概要】
【発明が解決しようとする課題】
【０００５】
しかしながら、穂木の下端近傍部に円錐状又は角錐状の凸部を形成する一方、台木の上端近傍部に円錐状又は角錐状の凹部を形成し、穂木の凸部を台木の凹部に挿入し、穂木と台木とを接合した場合、穂木の下端部、すなわち円錐尖端部で根（いわゆる自根）が発生し、この穂木の根が台木内で下向きに伸びて台木を損傷し、あるいは台木の成長に悪影響を及ぼすおそれがあるといった問題が生じる。とくに、茎部の中心に軸方向に伸びる穴が存在する植物（例えば、瓜）の接木苗を作成する場合には、このような不具合が顕在化する。
【０００６】
また、穂木の凸部を台木の凹部に挿入する際に、穂木を台木の真上に正確に配置し、鉛直方向下方に正確に下降させなければならないので、穂木ないしは台木の位置決めが難しい。このため、接木装置の自動化がかなり難しいといった問題もある。
【０００７】
本発明は、上記従来の問題を解決するためになされたものであって、穂木の下端部で根が発生してこの根が台木内で伸びるのを防止することができ、かつ穂木と台木とが互いに横方向ないしは径方向にずれるのを防止して、穂木と台木とを略同軸状に容易かつ正確に接合することを可能にする手段を提供することを解決すべき課題とする。
【課題を解決するための手段】
【０００８】
上記課題を解決するためになされた本発明に係る、穂木と台木とが略同軸状に接合されてなる接木苗においては、穂木の下端近傍部に凸部が形成される一方、台木の上端近傍部に凹部が形成されている。この接木苗において、凸部は、穂木茎部の周面（円周面）の一部をなし下方に向かって狭まるＶ字形周面と、穂木茎部を平面で切断することにより形成されＶ字形周面の一方の側辺に隣接し下方に向かって狭まる第１のＶ字形外面と、穂木茎部を平面で切断することにより形成されＶ字形周面の他方の側辺に隣接し下方に向かって狭まる第２のＶ字形外面とで画成されている。そして、第１のＶ字形外面と第２のＶ字形外面とは、直線状の稜線を形成するように交差ないしは当接している。また、凹部は、台木茎部を平面で切断することにより形成され下方に向かって狭まる第１のＶ字形内面と、台木茎部を平面で切断することにより形成され下方に向かって狭まる第２のＶ字形内面とで画成される一方、台木茎部の側方に開かれたＶ字形の側面開口部と台木茎部の上方に開かれたＶ字形の上面開口部とを有している。そして、第１のＶ字形内面と第２のＶ字形内面とは、直線状の谷底線を形成するように交差ないしは当接している。ここで、凸部と凹部とは相補的な形状（互いに嵌り合う形状）に形成され、凸部が凹部に挿入ないしは嵌入された状態で、穂木と台木とが接合（結合）されている。
【０００９】
本発明に係る接木苗においては、Ｖ字形周面の下端部と第１のＶ字形外面の下端部と第２のＶ字形外面の下端部とが穂木茎部の周面に対応する位置で収斂ないしは収束する一方、第１のＶ字形内面の下端部と第２のＶ字形内面の下端部とが台木茎部の周面に対応する位置で収斂ないしは収束しているのが好ましい。
【００１０】
また、本発明に係る穂木と台木とが略同軸状に接合されてなる接木苗の生産方法は、穂木の下端近傍部に凸部を作成する凸部作成工程と、台木の上端近傍部に凹部を作成する凹部作成工程と、凸部を凹部に挿入した上で、穂木と台木とを接合する接合工程とを有している。この接木苗の生産方法において、凸部作成工程では、穂木茎部の周面の一部をなし下方に向かって狭まるＶ字形周面が形成されるような態様で穂木茎部の２箇所を平面で切断して、下方に向かって狭まる第１のＶ字形外面と下方に向かって狭まる第２のＶ字形外面とを、第１のＶ字形外面と第２のＶ字形外面との間に直線状の稜線が生じるように形成する。また、凹部作成工程では、台木茎部の側方に開かれたＶ字形の側面開口部と台木茎部の上方に開かれたＶ字形の上面開口部とが形成されるような態様で台木茎部の２箇所を平面で切断して下方に向かって狭まる第１のＶ字形内面と下方に向かって狭まる第２のＶ字形内面とを、第１のＶ字形内面と第２のＶ字形内面との間に直線状の谷底線が生じるように形成する。
【００１１】
本発明に係る接木苗の生産方法においては、凸部作成工程で、Ｖ字形周面の下端部と第１のＶ字形外面の下端部と第２のＶ字形外面の下端部とが穂木茎部の周面に対応する位置で収斂ないしは収束するように穂木茎部を切断する一方、凹部作成工程で、第１のＶ字形内面の下端部と第２のＶ字形内面の下端部とが、台木茎部の周面に対応する位置で収斂ないしは収束するように台木茎部を切断するのが好ましい。
【発明の効果】
【００１２】
本発明に係る接木苗、又は本発明に係る生産方法により生産された接木苗では、穂木の下端部、すなわちＶ字形周面の下端部、第１のＶ字形外面の下端部ないしは第２のＶ字形外面の下端部は、穂木茎部の中心部ではなく、穂木茎部の周面に位置する。このため、穂木の下端部で根が発生しにくくなる。また、穂木の下端部で根が発生しても、この根は穂木ないしは台木の外部に伸びるだけであり、台木の内部には侵入しない。また、凸部が凹部に挿入された状態では、穂木が台木内で移動しにくいので、穂木と台木とが互いに横方向ないしは径方向にずれるのを防止することができる。さらに、穂木の凸部は、上下方向、横方向又は斜め方向のいずれの方向に移動させても台木の凹部に挿入することができる。このため、穂木と台木とを接合する際に、穂木ないしは台木を容易に位置決めすることができる。
【図面の簡単な説明】
【００１３】
【図１】接木苗を作成するための穂木の斜視図である。
【図２】接木苗を作成するための台木の斜視図である。
【図３】接木苗の斜視図であり、穂木の下端近傍の凸部が台木の上端近傍の凹部に挿入された状態を示している。
【図４】（ａ）は図１に示す穂木の下端近傍部の左側面図であり、（ｂ）は該穂木下端近傍部の正面図であり、（ｃ）は該穂木下端近傍部の右側面図であり、（ｄ）は該穂木下端近傍部の下面図である。
【図５】（ａ）は図２に示す台木の上端近傍部の上面図であり、（ｂ）は該台木上端近傍部の左側面図であり、（ｃ）は該台木上端近傍部の正面図であり、（ｄ）は該台木上端近傍部の右側面図である。
【発明を実施するための形態】
【００１４】
以下、添付の図面を参照しつつ、本発明の実施形態を具体的に説明する。
図１〜図３に示すように、接木苗１は、穂木２と台木３とが略同軸状に接合されてなる。穂木２の下端近傍部には凸部４が形成されている。他方、台木３の上端近傍部には凹部５が形成されている。ここで、凸部４と凹部５とは相補的な形状（互いに嵌り合う形状）に形成され、凸部４が凹部５に挿入ないしは嵌入された状態で、穂木２と台木３とが接合されている。
【００１５】
図４（ａ）〜（ｄ）に詳しく示すように、凸部４は、Ｖ字形周面６と、第１のＶ字形外面７と、第２のＶ字形外面８とで画成されている。Ｖ字形周面６は、略円柱形の穂木茎部９の周面の一部をなし、下方に向かって鋭角で狭まる正面視ではＶ字形ないしはくさび形の曲面（外壁面）である。
【００１６】
第１のＶ字形外面７は、穂木茎部９を所定の平面で切断することにより形成された平面状の切断面であり、Ｖ字形周面６の一方の側辺１０に隣接ないしは当接している。この第１のＶ字形外面７は、下方に向かって鋭角で狭まるＶ字形の平面（外壁面）である。第２のＶ字形外面８は、穂木茎部９を所定の平面で切断することにより形成された平面状の切断面であり、Ｖ字形周面６の他方の側辺１１に隣接ないしは当接している。この第２のＶ字形外面８は、下方に向かって鋭角で狭まるＶ字形の平面（外壁面）である。そして、第１のＶ字形外面７と第２のＶ字形外面８とは、穂木茎部９の周方向に関してＶ字形周面６とは反対側の位置で、直線状の稜線１２を形成するように交差ないしは当接している。ここで、Ｖ字形周面６の下端部と第１のＶ字形外面７の下端部と第２のＶ字形外面８の下端部は、穂木茎部９の周面に対応する位置（一点）で収斂ないしは収束している。
【００１７】
図５（ａ）〜（ｄ）に詳しく示すように、凹部５は、第１のＶ字形内面１３と、第２のＶ字形内面１４とで画成されている。第１のＶ字形内面１３は、台木茎部１５を所定の平面で切断することにより形成された平面状の切断面であり、下方に向かって鋭角で狭まるＶ字形の平面（内壁面）である。第２のＶ字形内１４は、台木茎部１５を所定の平面で切断することにより形成された平面状の切断面であり、下方に向かって鋭角で狭まるＶ字形の平面（内壁面）である。
【００１８】
また、凹部５は、台木茎部１５の側方に開かれた、下方に鋭角で狭まるＶ字形の側面開口部１６と、台木茎部１５の上方に開かれたＶ字形の上面開口部１７とを有している。そして、第１のＶ字形内面１３と第２のＶ字形内面１４とは、直線状の谷底線１８を形成するように交差ないしは当接している。ここで、第１のＶ字形内面１３の下端部と第２のＶ字形内面１４の下端部とは、台木茎部１５の周面に対応する位置（一点）で収斂ないしは収束している。
【００１９】
この接木苗１は、おおむね下記の３つの工程を経て生産される。
（１）穂木２の下端近傍部に凸部４を作成する凸部作成工程
（２）台木３の上端近傍部に凹部５を作成する凹部作成工程
（３）凸部４を凹部５に挿入した上で、穂木２と台木３とを接合する接合工程
【００２０】
凸部作成工程では、穂木茎部９の周面の一部をなし下方に向かって鋭角で狭まるＶ字形周面６が形成されるような態様で、穂木茎部９の所定の２箇所を所定の平面で切断し、下方に向かって鋭角で狭まる第１のＶ字形外面７と、下方に向かって鋭角で狭まる第２のＶ字形外面８とを形成する。ここで、第１のＶ字形外面７と第２のＶ字形外面８とは、両者間に直線状の稜線１２が生じるように形成される。
【００２１】
凹部作成工程では、台木茎部１５の側方に開かれたＶ字形の側面開口部１６と台木茎部１５の上方に開かれたＶ字形の上面開口部１７とが形成されるような態様で、台木茎部１５の所定の２箇所を所定の平面で切断して下方に向かって鋭角で狭まる第１のＶ字形内面１３と、下方に向かって鋭角で狭まる第２のＶ字形内面１４とを形成する。ここで、第１のＶ字形内面１３と第２のＶ字形内面１４とは、両者間に直線状の谷底線１８が生じるように形成される。
【００２２】
接合工程では、まず穂木２の凸部４が台木３の凹部５に挿入ないしは嵌入される。ここで、穂木２の凸部４は、上下方向、横方向又は斜め方向のいずれの方向に移動させても、台木３の凹部５に挿入することができる。したがって、穂木２と台木３とを接合する際に、穂木２ないしは台木３を容易にかつ正確に位置決めすることができる。穂木２の凸部４が台木３の凹部５に挿入された後、穂木２と台木３の接合部近傍に、該接合部を保護するための保護チューブ（図示せず）が嵌められる。なお、穂木２と台木３の接合に接着剤を用いてもよい。
【００２３】
かくして、この接木苗１では、穂木２の下端部、すなわちＶ字形周面６の下端部、第１のＶ字形外面７の下端部ないしは第２のＶ字形外面８の下端部は、穂木茎部９の中心部ではなく、穂木茎部９の周面に位置する。このため、穂木２の下端部で根が発生しにくくなる。また、穂木２の下端部で根が生じても、この根は穂木２ないしは台木３の外部に伸びるだけであり、台木３の内部には侵入しない。また、凸部４が凹部５に挿入された状態では、穂木２が台木３内で移動しにくいので、穂木２と台木３とが互いに横方向ないしは径方向にずれるのを防止することができる。
【符号の説明】
【００２４】
１  接木苗、２  穂木、３  台木、４  凸部、５  凹部、６  Ｖ字形周面、７  第１のＶ字形外面、８  第２のＶ字形外面、９  穂木茎部、１０  Ｖ字形周面の一方の側辺、１１  Ｖ字形周面の他方の側辺、１２  稜線、１３  第１のＶ字形内面、１４  第２のＶ字形内面、１５  台木茎部、１６  側面開口部、１７  上面開口部、１８  谷底線。
【図１】
2016021917.tif 000003
【図２】
2016021917.tif 000004
【図３】
2016021917.tif 000005
【図４】
2016021917.tif 000006
【図５】
2016021917.tif 000007